(57)【要約】【課題】業務システムがバックアップ用システムとデータの同期を実施しようとした場合に生じる、手順や管理の煩雑化という問題を解決する情報処理システムを提供する。【解決手段】複数の第１のアプリケーションを有し、第１のアプリケーション及び複数の第１のストレージを用いて所定の業務を行うホストコンピュータと、複数の第２のアプリケーションを有し、第２のアプリケーション及び第２のストレージを用いてホストコンピュータのバックアップを行うサーバと、がネットワークを介して接続された情報処理システムにおいて、ホストコンピュータは、第１のアプリケーションからのファイルアクセスを検出し、ファイルアクセスを、プロトコル変換を行わずにネットワークを介してサーバへ送信し、サーバは、ホストコンピュータから送信されたファイルアクセスを受信し、ファイルアクセスを適用することによりデータ同期を行う。【選択図】図１
2009048255.tif 000002
【特許請求の範囲】
【請求項１】
複数の第１のアプリケーションを有し、該第１のアプリケーション及び複数の第１のストレージを用いて所定の業務を行うホストコンピュータと、
複数の第２のアプリケーションを有し、該第２のアプリケーション及び第２のストレージを用いて前記ホストコンピュータのバックアップを行うサーバと、がネットワークを介して接続された情報処理システムにおいて、
前記ホストコンピュータは、
前記第１のアプリケーションからのファイルアクセスを検出し、該ファイルアクセスを、プロトコル変換を行わずに前記ネットワークを介して前記サーバへ送信し、
前記サーバは、
前記ホストコンピュータから送信されたファイルアクセスを受信し、該ファイルアクセスを適用することによりデータ同期を行うことを特徴とする情報処理システム。
【請求項２】
前記ホストコンピュータは、
前記第１のアプリケーションからのファイルアクセスを処理する第１のファイルシステムと、
該第１のファイルシステムと、前記第１のアプリケーションとの間に入って、前記第１のアプリケーションからのファイルアクセスを検出し、該ファイルアクセスを、第１のファイルシステムへ送出するとともに、前記ネットワークを介して前記サーバへ送信する第１のファイルアクセス検出送信ソフトウェアと、
前記第１のストレージを制御する複数の第１のディスクドライバと、
を有することを特徴とする請求項１記載の情報処理システム。
【請求項３】
前記サーバは、
前記第２のストレージと、前記第２のアプリケーションとに対して、前記ファイルアクセスを処理する第２のファイルシステムと、
前記第１のファイルアクセス検出送信ソフトウェアから受信したファイルアクセスを、前記第２のファイルシステムへ送出する第２のファイルアクセス検出送信ソフトウェアと、
前記第２のストレージを制御する第２のディスクドライバと、
を有することを特徴とする請求項１又は２記載の情報処理システム。
【請求項４】
前記第１のファイルアクセス検出送信ソフトウェアは、
前記ファイルアクセスを、前記ネットワークを介して、前記第２のファイルアクセス検出送信ソフトウェアへ送信することを特徴とする請求項２又は３記載の情報処理システム。
【請求項５】
前記第１のファイルシステムは、
前記第１のファイルアクセス検出送信ソフトウェアから受け取ったファイルアクセスをブロックレベルの要求に変換し、前記第１のディスクドライバを介して、前記第１のストレージに書き込むことを特徴とする請求項２から４のいずれか１項に記載の情報処理システム。
【請求項６】
前記第２のファイルシステムは、
前記第２のファイルアクセス検出送信ソフトウェアから受け取ったファイルアクセスをブロックレベルの要求に変換し、前記第２のディスクドライバを介して、前記第２のストレージに書き込むことを特徴とする請求項３から５のいずれか１項に記載の情報処理システム。
【請求項７】
請求項１から６のいずれか１項に記載の情報処理システムでホストコンピュータとして用いられることを特徴とする情報処理装置。
【請求項８】
請求項１から６のいずれか１項に記載の情報処理システムでサーバとして用いられることを特徴とする情報処理装置。
【請求項９】
複数の第１のアプリケーションを有し、該第１のアプリケーション及び複数の第１のストレージを用いて所定の業務を行うホストコンピュータと、
複数の第２のアプリケーションを有し、該第２のアプリケーション及び第２のストレージを用いて前記ホストコンピュータのバックアップを行うサーバと、がネットワークを介して通信を行う情報処理方法において、
前記ホストコンピュータは、
前記第１のアプリケーションからのファイルアクセスを検出し、該ファイルアクセスを、プロトコル変換を行わずに前記ネットワークを介して前記サーバへ送信し、
前記サーバは、
前記ホストコンピュータから送信されたファイルアクセスを受信し、該ファイルアクセスを適用することによりデータ同期を行うことを特徴とする情報処理方法。
【請求項１０】
前記ホストコンピュータは、
前記第１のアプリケーションと、前記ファイルアクセスを処理する第１のファイルシステムとの間で前記ファイルアクセスを検出し、該ファイルアクセスを、前記第１のファイルシステムへ送出するとともに、前記ネットワークを介して前記サーバへ送信することを特徴とする請求項９記載の情報処理方法。
【請求項１１】
前記サーバは、
前記ホストコンピュータから送信されたファイルアクセスを、前記第２のアプリケーションと、前記ファイルアクセスを処理する第２のファイルシステムとの間で受信し、該ファイルアクセスを、前記第２のファイルシステムへ送出することを特徴とする請求項９又は１０記載の情報処理方法。
【請求項１２】
前記第１のファイルシステムは、
前記ファイルアクセスをブロックレベルの要求に変換し、前記第１のストレージを制御する第１のディスクドライバを介して、前記第１のストレージに書き込むことを特徴とする請求項１０又は１１記載の情報処理方法。
【請求項１３】
前記第２のファイルシステムは、
前記ファイルアクセスをブロックレベルの要求に変換し、前記第２のストレージを制御する第２のディスクドライバを介して、前記第２のストレージに書き込むことを特徴とする請求項１１又は１２記載の情報処理方法。
【請求項１４】
複数の第１のアプリケーションを有し、該第１のアプリケーション及び複数の第１のストレージを用いて所定の業務を行うホストコンピュータと、
複数の第２のアプリケーションを有し、該第２のアプリケーション及び第２のストレージを用いて前記ホストコンピュータのバックアップを行うサーバと、がネットワークを介して通信を行うためのプログラムにおいて、
前記ホストコンピュータに、
前記第１のアプリケーションからのファイルアクセスを検出し、該ファイルアクセスを、プロトコル変換を行わずに前記ネットワークを介して前記サーバへ送信する処理を実行させることを特徴とするプログラム。
【請求項１５】
前記ホストコンピュータに、
前記第１のアプリケーションと、前記ファイルアクセスを処理する第１のファイルシステムとの間で前記ファイルアクセスを検出し、該ファイルアクセスを、前記第１のファイルシステムへ送出するとともに、前記ネットワークを介して前記サーバへ送信する処理を実行させることを特徴とする請求項１４記載のプログラム。
【発明の詳細な説明】
【技術分野】
【０００１】
本発明は、ファイルシステムレイヤでのデータ同期化を実現する情報処理システム、情報処理装置、情報処理方法及びプログラムに関する。
【背景技術】
【０００２】
様々な情報サービスの提供にはホストコンピュータ（クライアント装置）により制御されるシステム（情報サービスの提供などの業務を行うシステム。以下、業務システムという）が利用されている。近年、このホストコンピュータにより処理されるデータ（業務データ）は、近年の情報サービス等の発展に伴い大容量化している。そのため、これらのデータの格納にはストレージと呼ばれるホストコンピュータの外部に接続された記憶装置が利用されている。
【０００３】
このようなホストコンピュータとストレージとから成る業務システムは、何らかの障害や災害が発生した場合でもサービスを継続できるようにするため、遠隔地にある、コンピュータ（サーバ装置）とストレージとから成るバックアップ用のシステム（バックアップ用システム）とネットワークを介して通信を行い、ほぼリアルタイムに本番サイトのデータと同期を取っている。
【０００４】
そして、上記業務システムでは、往々にして多種の業務アプリケーションが動作しており、しかも業務データを格納するために多種のストレージが用いられている。
【０００５】
業務データの同期を行う方法としては、業務アプリケーションレイヤでデータを同期化する方法と、ストレージレイヤでデータを同期化する方法とがあるが、これらの方法を上記業務システムに適用して、バックアップ用システムとデータの同期を実施しようとした場合、それぞれの業務アプリケーション毎にデータを転送するか、あるいは、それぞれのストレージにおいてデータを転送しなければならないため、手順や管理が煩雑化してしまうという問題があった。
【０００６】
本発明に関連する技術例として、例えば、特許文献１には、２つのレベルのアクセスプロトコルを用いることにより、クライアントとサーバとの間でファイルのデータ転送の効率を向上させる情報処理システムが開示されているが、この発明では、通信の際にプロトコル変換が必要となる。
【特許文献１】特開２００１−１８４２９４号公報
【発明の開示】
【発明が解決しようとする課題】
【０００７】
本発明は、上記事情に鑑みてなされたものであり、多種の業務アプリケーションと多種のストレージを備えた業務システムにおいて、業務アプリケーションからのファイルアクセスをファイルシステムレイヤで検出し、検出したファイルアクセスを、プロトコル変換を行わずにネットワークを通じてバックアップ用システムに送信し、バックアップ用システムにおいて、そのファイルアクセスを適用することにより、データ同期を行う情報処理システム、情報処理装置、情報処理方法及びプログラムを提供することを目的とする。
【課題を解決するための手段】
【０００８】
かかる目的を達成するために、本発明の第１の情報処理システムは、複数の第１のアプリケーションを有し、第１のアプリケーション及び複数の第１のストレージを用いて所定の業務を行うホストコンピュータと、複数の第２のアプリケーションを有し、第２のアプリケーション及び第２のストレージを用いてホストコンピュータのバックアップを行うサーバと、がネットワークを介して接続された情報処理システムにおいて、ホストコンピュータは、第１のアプリケーションからのファイルアクセスを検出し、ファイルアクセスを、プロトコル変換を行わずにネットワークを介してサーバへ送信し、サーバは、ホストコンピュータから送信されたファイルアクセスを受信し、ファイルアクセスを適用することによりデータ同期を行うことを特徴とする。
【０００９】
本発明の第２の情報処理システムは、本発明の第１の情報処理システムにおいて、ホストコンピュータは、第１のアプリケーションからのファイルアクセスを処理する第１のファイルシステムと、第１のファイルシステムと、第１のアプリケーションとの間に入って、第１のアプリケーションからのファイルアクセスを検出し、ファイルアクセスを、第１のファイルシステムへ送出するとともに、ネットワークを介してサーバへ送信する第１のファイルアクセス検出送信ソフトウェアと、第１のストレージを制御する複数の第１のディスクドライバと、を有することを特徴とする。
【００１０】
本発明の第３の情報処理システムは、本発明の第１又は第２の情報処理システムにおいて、サーバは、第２のストレージと、第２のアプリケーションとに対して、ファイルアクセスを処理する第２のファイルシステムと、第１のファイルアクセス検出送信ソフトウェアから受信したファイルアクセスを、第２のファイルシステムへ送出する第２のファイルアクセス検出送信ソフトウェアと、第２のストレージを制御する第２のディスクドライバと、を有することを特徴とする。
【００１１】
本発明の第４の情報処理システムは、本発明の第２又は第３の情報処理システムにおいて、第１のファイルアクセス検出送信ソフトウェアは、ファイルアクセスを、ネットワークを介して、第２のファイルアクセス検出送信ソフトウェアへ送信することを特徴とする。
【００１２】
本発明の第５の情報処理システムは、本発明の第２から第４のいずれか１つの情報処理システムにおいて、第１のファイルシステムは、第１のファイルアクセス検出送信ソフトウェアから受け取ったファイルアクセスをブロックレベルの要求に変換し、第１のディスクドライバを介して、第１のストレージに書き込むことを特徴とする。
【００１３】
本発明の第６の情報処理システムは、本発明の第３から第５のいずれか１つの情報処理システムにおいて、第２のファイルシステムは、第２のファイルアクセス検出送信ソフトウェアから受け取ったファイルアクセスをブロックレベルの要求に変換し、第２のディスクドライバを介して、第２のストレージに書き込むことを特徴とする。
【００１４】
本発明の第１の情報処理装置は、本発明の第１から６のいずれか１つの情報処理システムでホストコンピュータとして用いられることを特徴とする。
【００１５】
本発明の第２の情報処理装置は、本発明の第１から６のいずれか１つの情報処理システムでサーバとして用いられることを特徴とする。
【００１６】
本発明の第１の情報処理方法は、複数の第１のアプリケーションを有し、第１のアプリケーション及び複数の第１のストレージを用いて所定の業務を行うホストコンピュータと、複数の第２のアプリケーションを有し、第２のアプリケーション及び第２のストレージを用いてホストコンピュータのバックアップを行うサーバと、がネットワークを介して通信を行う情報処理方法において、ホストコンピュータは、第１のアプリケーションからのファイルアクセスを検出し、ファイルアクセスを、プロトコル変換を行わずにネットワークを介してサーバへ送信し、サーバは、ホストコンピュータから送信されたファイルアクセスを受信し、ファイルアクセスを適用することによりデータ同期を行うことを特徴とする。
【００１７】
本発明の第２の情報処理方法は、本発明の第１の情報処理方法において、ホストコンピュータは、第１のアプリケーションと、ファイルアクセスを処理する第１のファイルシステムとの間でファイルアクセスを検出し、ファイルアクセスを、第１のファイルシステムへ送出するとともに、ネットワークを介してサーバへ送信することを特徴とする。
【００１８】
本発明の第３の情報処理方法は、本発明の第１又は第２の情報処理方法において、サーバは、ホストコンピュータから送信されたファイルアクセスを、第２のアプリケーションと、ファイルアクセスを処理する第２のファイルシステムとの間で受信し、ファイルアクセスを、第２のファイルシステムへ送出することを特徴とする。
【００１９】
本発明の第４の情報処理方法は、本発明の第２又は第３の情報処理方法において、第１のファイルシステムは、ファイルアクセスをブロックレベルの要求に変換し、第１のストレージを制御する第１のディスクドライバを介して、第１のストレージに書き込むことを特徴とする。
【００２０】
本発明の第５の情報処理方法は、本発明の第３又は第４の情報処理方法において、第２のファイルシステムは、ファイルアクセスをブロックレベルの要求に変換し、第２のストレージを制御する第２のディスクドライバを介して、第２のストレージに書き込むことを特徴とする。
【００２１】
本発明の第１のプログラムは、複数の第１のアプリケーションを有し、第１のアプリケーション及び複数の第１のストレージを用いて所定の業務を行うホストコンピュータと、複数の第２のアプリケーションを有し、第２のアプリケーション及び第２のストレージを用いてホストコンピュータのバックアップを行うサーバと、がネットワークを介して通信を行うためのプログラムにおいて、ホストコンピュータに、第１のアプリケーションからのファイルアクセスを検出し、ファイルアクセスを、プロトコル変換を行わずにネットワークを介してサーバへ送信する処理を実行させることを特徴とする。
【００２２】
本発明の第２のプログラムは、本発明の第１のプログラムにおいて、ホストコンピュータに、第１のアプリケーションと、ファイルアクセスを処理する第１のファイルシステムとの間でファイルアクセスを検出し、ファイルアクセスを、第１のファイルシステムへ送出するとともに、ネットワークを介してサーバへ送信する処理を実行させることを特徴とする。
【発明の効果】
【００２３】
本発明によれば、多種の業務アプリケーションと多種のストレージを備えた業務システムと、業務システムと通信を行うバックアップ用システムとからなる情報処理システムにおいて、データの同期を行う際の手順や管理の煩雑化を解消でき、プロトコル変換を必要とせずに、単一の手順でバックアップデータを作成することが可能となる。
【発明を実施するための最良の形態】
【００２４】
以下、本発明を実施するための最良の形態について添付図面を参照して詳細に説明する。
【００２５】
〔本発明の特徴〕
本発明は、多種の業務アプリケーションと多種のストレージとを備えた業務システムにおいて、業務アプリケーションレイヤとストレージレイヤとの間に存在するファイルシステムレイヤに、ホストコンピュータ上のアプリケーションからのファイルアクセスを検出する機能をもたせ、そのファイルアクセスを、プロトコル変換をせずにネットワークを通じて遠隔地のバックアップ用システムに送り、バックアップ用システムにおいて、そのファイルアクセスを適用してデータ同期を行う。これにより、それぞれの業務アプリケーション毎にデータを転送するか、あるいは、それぞれのストレージにおいてデータを転送しなければならないことによる手順や管理の煩雑化といった従来の課題を解決できるとともに、プロトコル変換を必要とせずに、単一の手順でデータの同期を行うことができる。
【実施例】
【００２６】
〔実施例の構成〕
本発明の一実施例である情報処理システムの構成について、図１を参照して説明する。
【００２７】
本実施例の情報処理システムは、情報サービスの提供などの業務を処理するための業務システム（本番業務システム）と、業務システムに何らかの障害や災害が発生した場合でも、業務システムで処理する業務（サービス）を継続できるようにするために、遠隔地に存在するバックアップ用システム（災害システム）と、を有する。業務システムと、バックアップ用システムとは、ネットワーク９を介して接続される。ネットワーク９は、ホストコンピュータ１内のファイルアクセス検出送信ソフトウェア２と、サーバ８内のファイルアクセス検出送信ソフトウェア４とのデータ送受信を仲介する。
【００２８】
業務システムは、情報処理装置であるホストコンピュータ１と、業務データを格納するための複数種のストレージ（１〜ｍ：ｍは整数）と、を有して構成される。
【００２９】
ホストコンピュータ１は、情報サービスの提供などの業務を処理するための装置であり、複数種類の業務アプリケーション（１〜ｎ：ｎは整数）と、ファイルシステム３と、ファイルアクセス検出送信ソフトウェア２と、ディスクドライバ（１〜ｍ：ｍは整数）と、を備える。
【００３０】
業務アプリケーション（１〜ｎ）は、各々種類の異なる複数の業務アプリケーションプログラムであり、ホストコンピュータ１内で動作する。
【００３１】
ファイルシステム３は、業務アプリケーション（１〜ｎ）からのファイルアクセス（読み書き要求、更新Ｉ／Ｏ要求）を処理する。また、ディスクドライバ（１〜ｍ）により、読み書きされる業務データを、上位のソフトウェアである業務アプリケーション（１〜ｎ）に対して、ファイル単位の情報として扱うことができるようにする処理を行う。
【００３２】
ファイルアクセス（更新Ｉ／Ｏ）検出送信ソフトウェア２は、ファイルシステム３と業務アプリケーション（１〜ｎ）との間に入り、業務アプリケーション（１〜ｎ）からのファイルアクセスを検出し、検出したファイルアクセスをプロトコル変換せずに、ネットワーク９を通じて、遠隔地のバックアップ用システムへ送る。
【００３３】
ディスクドライバ（１〜ｍ）は、複数のストレージ（１〜ｍ）のそれぞれに対して、格納される業務データの読み書きの制御を行う。
【００３４】
バックアップ用システムは、情報処理装置であるサーバ８と、障害・災害時に使用する業務データを蓄えるための災害対策用ストレージ７と、を有して構成される。
【００３５】
サーバ８は、業務システムの障害・災害時に業務を処理するための装置であり、複数種類の業務アプリケーション（１〜ｎ：ｎは整数）と、ディスクドライバ６と、ファイルシステム５と、ファイルアクセス検出送信ソフトウェア４と、を備える。
【００３６】
業務アプリケーション（１〜ｎ）は、各々種類の異なる複数の業務アプリケーションプログラムであり、障害時や災害時にサーバ８内で動作する。
【００３７】
ファイルシステム５は、上記ファイルシステム３と同様の機能を有し、災害対策用ストレージ７と、業務アプリケーション（１〜ｎ）とに対して、動作時にファイルの読み書き要求を処理する。
【００３８】
ファイルアクセス（更新Ｉ／Ｏ）検出送信ソフトウェア４は、ファイルアクセス検出送信ソフトウェア２から受信したファイルアクセス（データの書き込み要求）を、ファイルシステム５に対して送出する。
【００３９】
ディスクドライバ６は、災害対策用ストレージ７を制御する。
【００４０】
〔実施例の動作〕
本発明の一実施例である情報処理システムの動作について、図１及び図２を参照して説明する。
【００４１】
ホストコンピュータ１内で動作する複数種類の業務アプリケーション（１〜ｎ）がファイルの更新要求（ファイルアクセス要求）を下位ソフトウェアに対して送出する（ステップＳ１）。
【００４２】
ファイルアクセス検出送信ソフトウェア２は、送出されたファイルの更新要求を受け取り、受け取ったファイルの更新要求を、ファイルシステム３に対して送信するとともに（ステップＳ２）、ネットワーク９を通して、サーバ８内のファイルアクセス検出送信ソフトウェア４にも送信する（ステップＳ３）。なお、ファイルアクセス検出送信ソフトウェア４へ送信する際に、プロトコル変換は行わない。
【００４３】
ファイルシステム３は、ファイルアクセス検出送信ソフトウェア２からファイルの更新要求を受け取り、その要求をブロックレベルの要求に変換し、ディスクドライバ（１〜ｍ）を通して、ストレージ（１〜ｍ）に書き込む（ステップＳ４）。この動作は、通常の動作である。
【００４４】
一方、サーバ８において、ファイルアクセス検出送信ソフトウェア４は、ファイルアクセス検出送信ソフトウェア２からファイルの更新要求を受け取り、受け取ったファイルの更新要求を、ファイルシステム５に対して送信する（ステップＳ５）。
【００４５】
ファイルシステム５は、ファイルの更新要求を受け取り、その要求をブロックレベルの要求に変換し、ディスクドライバ６を通して、災害対策用ストレージ７に書き込む（ステップＳ６）。
【００４６】
上記動作により、災害対策用ストレージ７には、業務を処理するホストコンピュータ１の業務アプリケーション（１〜ｎ）の業務データが存在することになり、災害対策用のデータとして使用することができる。
【００４７】
〔実施例の効果〕
以上説明したように、本実施例によれば、従来の課題、すなわち、それぞれの業務アプリケーション毎にデータを転送するか、あるいは、それぞれのストレージにおいてデータを転送しなければならないことによる手順や管理の煩雑化といった課題を解決でき、プロトコル変換を必要とせずに、単一の手順で災害対策用のデータ（バックアップデータ）を作成できる。
【００４８】
以上、本発明の実施例について説明したが、上記実施例に限定されるものではなく、その要旨を逸脱しない範囲において種々の変形が可能である。
【００４９】
例えば、上述した実施例における制御動作は、ハードウェア、または、ソフトウェア、あるいは、両者の複合構成によって実行することも可能である。
【００５０】
なお、ソフトウェアによる処理を実行する場合には、処理シーケンスを記録したプログラムを、専用のハードウェアに組み込まれているコンピュータ内のメモリにインストールして実行させるか、あるいは、各種処理が実行可能な汎用コンピュータにプログラムをインストールして実行させることが可能である。
【００５１】
例えば、プログラムは、記録媒体としてのハードディスクやＲＯＭ（Read Oｎly Ｍeｍory）に予め記録しておくことが可能である。
【００５２】
あるいは、プログラムは、フロッピー（登録商標）ディスク、ＣＤ−ＲＯＭ（Coｍpact Disc Read Oｎly Ｍeｍory），ＭＯ（Ｍagｎeto optical）ディスク，ＤＶＤ（Digital Versatile Disc）、磁気ディスク、半導体メモリなどのリムーバブル記録媒体に、一時的、あるいは、永続的に格納（記録）しておくことが可能である。
【００５３】
このようなリムーバブル記録媒体は、いわゆるパッケージソフトウエアとして提供することが可能である。
【００５４】
なお、プログラムは、上述したようなリムーバブル記録媒体からコンピュータにインストールする他、ダウンロードサイトから、コンピュータに無線転送したり、ＬＡＮ（Local Area Ｎetwork）、インターネットといったネットワークを介して、コンピュータに有線で転送したりし、コンピュータでは、転送されてきたプログラムを受信し、内蔵するハードディスク等の記録媒体にインストールすることが可能である。
【００５５】
また、上記実施例で説明した処理動作に従って時系列的に実行されるのみならず、処理を実行する装置の処理能力、あるいは、必要に応じて並列的にあるいは個別に実行するように構築することも可能である。
【００５６】
また、上記実施例で説明したシステムは、複数の装置の論理的集合構成にしたり、各装置の機能を混在させたりするように構築することも可能である。
【産業上の利用可能性】
【００５７】
本発明は、ネットワーク等を介して情報処理通信を行う装置・機器、システム、方法、プログラムに適用できる。
【図面の簡単な説明】
【００５８】
【図１】本発明の一実施例に係る情報処理システムの全体構成を示すブロック図である。
【図２】本発明の一実施例に係る情報処理システムの動作を示すシーケンスチャートである。
【符号の説明】
【００５９】
１    ホストコンピュータ
２    ファイルアクセス検出送信ソフトウェア
３    ファイルシステム
４    ファイルアクセス検出送信ソフトウェア
５    ファイルシステム
６    ディスクドライバ
７    災害対策用ストレージ
８    サーバ
【図１】
2009048255.tif 000003
【図２】
2009048255.tif 000004